(57)【要約】【課題】容器内に収容されている水または水溶液を充分に活水化できるセラミック活水器を提供する。【解決手段】容器４内に収容可能なフレーム２と、このフレーム２に保持されたセラミック塊３とを備え、フレーム２に、螺旋状に巻いてある少なくとも１つの弦巻ばね１０が振動可能に設けられており、前記弦巻ばね１０に、セラミック塊３が１個又は複数保持されている。したがって、水または水溶液が容器４内でセラミック塊３に充分にかつ均一に接触することができるので、活水化を充分に行え、また、セラミック塊３と容器４とが、互いに接触することがないので、容器が傷付くこともない。【選択図】図１
2006110477.tif 000002
【特許請求の範囲】
【請求項１】
容器内に収容されている水または水溶液を活水化するセラミック活水器であって、
前記容器内に収容可能なフレームと、このフレームに保持されたセラミック塊とを備え、
前記フレームに、螺旋状に巻いてある少なくとも１つの弦巻ばねが振動可能に設けられており、前記弦巻ばねに、セラミック塊が１個又は複数保持されていることを特徴とするセラミック活水器。
【請求項２】
請求項１に記載のセラミック活水器において、
前記フレームは、上下一対のリングと、これらリングどうしを上下に離間した状態で連結する連結棒とを備え、
前記弦巻ばねは、前記上下のリング間に振動可能に架設されており、
前記フレームは、前記上下のリングが前記容器の上下の内壁にそれぞれ当接されることにより、前記容器内で固定されていることを特徴とするセラミック活水器。
【請求項３】
請求項１または２に記載のセラミック活水器において、
前記弦巻ばねは、上下に複数連結されていることを特徴とするセラミック活水器。
【請求項４】
請求項３に記載のセラミック活水器において、
前記複数の弦巻ばねは、互いに取り外し可能に連結されていることを特徴とするセラミック活水器。
【請求項５】
請求項１〜４のいずれか一項に記載のセラミック活水器において、
前記弦巻ばねは、前記下側のリングに寄せて配置されていることを特徴とするセラミック活水器。
【発明の詳細な説明】
【技術分野】
【０００１】
本発明は、セラミック塊に水を接触されることによって、該水を活水化させるセラミック活水器に関する。
【背景技術】
【０００２】
水は、水の分子どうしが、水素結合することによって、分子集団（クラスタ）をつくり葡萄の房のようなコミュニティを形成しており、一般的にきれいな水のクラスタは小さく、汚れた水ほどクラスタが肥大化していると言われている。水のクラスタを小さくして、水を活性化するには、例えば、水をセラミック材と接触し、セラミックより放射される遠赤外線と水との接触を効果的に上げることによって、連なった水分子を分裂させて、小さなクラスタを得ることができる。
【０００３】
このようにして水を活性化できるセラミック活水器の一例として、特許文献１に記載のものが知られている。この特許文献１に記載のセラミック活水器は、処理しようとする原水の量に応じ活水器内に二列以上複数列の中空の筒を設け、その筒の中にはセラミック材を一列で、かつ水の流れ方向に複数個充填したものから構成したものである。この構成により、活水器に流入した原水は複数列のセラミック充填筒の中を並行して流れるため、該セラミック充填筒内での水のよどみやショートパスが生じにくくなり（即ち、均一流となり）セラミックより放射される遠赤外線と被処理水との接触を充分に行わせることができる。
【特許文献１】特開平１１−４７７３７号公報
【発明の開示】
【発明が解決しようとする課題】
【０００４】
ところで、上記特許文献１に記載のセラミック活水器では、原水供給口から供給した流水をセラミック塊に接触させることによって活水化し、この活水化した水が吐出口から排出される構造であるため、例えば、携帯用のボトル等の容器内に収容されており、原水供給口から突出口へと流れることのない水を活性化するには不十分である。
すなわち、容器内に収容されている水を、セラミック塊に充分にかつ均一に接触させるためには、容器を振る必要があるが、前記セラミック活水器では、セラミック塊がセラミックユニット内で固定されているため、容器を振っても、水がセラミックユニット内でセラミック塊に充分に接触することができず、活水化が不十分となる。
そこで、セラミック塊をセラミックユニット内にフリーの状態で充填することも考えられるが、その場合、容器を振ることによってセラミック塊と容器が衝突して、容器を傷付けるおそれがある。
【０００５】
本発明は上記事情に鑑みてなされたもので、容器を傷付けることなく容器内に収容されている水または水溶液を充分に活水化できるセラミック活水器を提供することを課題としている。
【課題を解決するための手段】
【０００６】
上記課題を解決するために、請求項１に記載の発明は、例えば図１〜図３に示すように、容器４内に収容されている水または水溶液を活水化するセラミック活水器であって、
前記容器４内に収容可能なフレーム２と、このフレーム２に保持されたセラミック塊３とを備え、
前記フレーム２に、螺旋状に巻いてある少なくとも１つの弦巻ばね１０が振動可能に設けられており、前記弦巻ばね１０に、セラミック塊３が１個又は複数保持されていることを特徴とする。
【０００７】
前記セラミック塊は基本的にはどのような形状でもよいが、水との接触面を広くするために、球形にするのが望ましい。
また、前記フレームは、容器を振った際に容器内の水が上下左右に自由に移動できるような細い構造とするのが望ましい。
【０００８】
請求項１に記載の発明によれば、セラミック塊３を持した弦巻ばね１０が設けられたフレーム２を、水または水溶液が収容された容器４内に収容したうえで、容器４を振ると、容器４内の水または水溶液が上下左右に移動するとともに、セラミック塊３も上下左右に振動する。また、弦巻ばね１０に複数セラミック塊３が保持されている場合、該弦巻ばね１０内の複数のセラミック塊３はほぼ一体となって上下左右に振動する。
したがって、水または水溶液が容器４内でセラミック塊３に充分にかつ均一に接触することができ、よって、活水化を充分に行える。
また、セラミック塊３と容器４とは、互いに接触することがないので、容器４が傷付くこともない。
【０００９】
請求項２に記載の発明は請求項１に記載のセラミック活水器において、
前記フレーム２は、上下一対のリング５，６と、これらリング５，６どうしを上下に離間した状態で連結する連結棒７とを備え、
前記弦巻ばね１０は、前記上下のリング５，６間に振動可能に架設されており、
前記フレーム２は、前記上下のリング５，６が前記容器４の上下の内壁にそれぞれ当接されることにより、前記容器４内で固定されていることを特徴とする。
【００１０】
請求項２に記載の発明によれば、容器４内にフレーム２を収容することによって、上下のリング５，６が容器４の上下の内壁にそれぞれ当接されるので、フレーム２を容器４内で確実に固定できる。また、上下のリング５，６は連結棒７によって連結されているので、容器４を振っても上下のリング５，６が容器４の上下の内壁に当接して止まっているので、フレーム２の倒れを防止でき、したがって、フレーム２を容器４内で一定の姿勢に保持できる。
そして、容器４を振ると、弦巻ばね１０が上下左右に振動するので、これに伴ってセラミック塊３が振動する。一方、容器４内の水または水溶液は容器４を振ることによって、リング５，６間やリング５，６を通してスムーズに移動するので、水または水溶液をセラミック塊３に充分にかつ均一に接触することができる。
また、容器４からフレーム２を取り出す作業も、上のリング５に指等を引っ掛けて引き出せばよいので、簡単である。
【００１１】
請求項３に記載の発明は、請求項１または２に記載のセラミック活水器において、
前記弦巻ばね１０は、上下に複数連結されていることを特徴とする。
【００１２】
請求項３に記載の発明によれば、弦巻ばね１０が上下に連結されているので、容器４が縦長の場合に、セラミック塊３を数多く収容できるとともに、セラミック塊３の振動も効率的に行える。
さらに、弦巻ばね１０を構成する螺旋状の針金間を押し広げるようにして、セラミック塊３を弦巻ばね１０内に容易に挿入して収容したり、取り出したりできる。
【００１３】
請求項４に記載の発明は、請求項３に記載のセラミック活水器において、
前記複数の弦巻ばね１０は、互いに取り外し可能に連結されていることを特徴とする。
【００１４】
請求項４に記載の発明によれば、複数の弦巻ばね１０が、互いに取り外し可能に連結されているので、弦巻ばね１０の個数や大きさ、言い換えれば、セラミック塊３の個数や大きさを容易に調整できる。
【００１５】
請求項５に記載の発明は、請求項１〜４のいずれか一項に記載のセラミック活水器において、
前記弦巻ばね１０は、前記下側のリング６に寄せて配置されていることを特徴とする。
【００１６】
請求項５に記載の発明によれば、容器４内の水または水溶液がその使用に伴って少なくなって、水面が低下しても、弦巻ばね１０が下側のリング６に寄せて配置されているので、水または水溶液が容器４内でセラミック塊３に充分にかつ均一に接触することができる。
【発明の効果】
【００１７】
本発明によれば、容器内に収容可能なフレームと、このフレームに保持されたセラミック塊とを備え、前記フレームに、螺旋状に巻いてある少なくとも１つの弦巻ばねが振動可能に設けられており、前記弦巻ばねに、セラミック塊が１個又は複数保持されているので、容器を振ると、容器内の水または水溶液が上下左右に移動するとともに、セラミック塊も弦巻ばねとともに上下左右に振動する。したがって、水または水溶液が容器内でセラミック塊に充分にかつ均一に接触することができ、よって、活水化を充分に行える。
また、セラミック塊が弦巻ばねに保持されているので、セラミック塊と容器とが、互いに接触することがないので、容器が傷付くこともない。
【発明を実施するための最良の形態】
【００１８】
以下、図面を参照して本発明の実施の形態について説明する。
図１は本発明に係るセラミック活水器を示す斜視図、図２は同活水器を容器に収容した状態を示す平面図、図３は同活水器を容器に収容した状態を示す縦断面図である。
【００１９】
これらの図に示すように、セラミック活水器１は、フレーム２と、このフレーム２に保持された複数のセラミック塊３とを備えている。
フレーム２は、図２および図３に示す容器４に収容可能な大きさに形成されたものであり、上下一対のリング５，６と、これらリング５，６どうしを上下に離間した状態で連結する３本の連結棒７と、前記上下のリング５，６間に架設され、かつ、振動可能な振動部とを備えている。
【００２０】
上下のリング５，６はそれぞれ円環状のものであり、同形、同大に形成され、同軸に配置されている。また、上下のリング５，６の外径は、容器４の開口部４ａの内径より小さくなっている。
連結棒７はリング５，６の周方向に等間隔で３本配置されており、その上端部は上のリング５の内周面に溶接等によって固定されており、下端部は下のリング６の内周面に溶接等によって固定されている。
【００２１】
振動部は上下のリング５，６間に架設されており、振動可能な構成となっている。すなわち、振動部は、上下３つの弦巻ばね１０を備えており、上下に隣り合う弦巻ばね１０，１０はそれぞれのフック１０ａ，１０ａを掛け合わすことによって連結されている。また、上下３つの弦巻ばねのうち、下の弦巻ばね１０の下フック１０ａは、下のリング６に形成された孔６ａに挿入されて引っ掛けられている。一方、上のリング５に形成された孔５ａには、吊下げ棒１１の上フック１１ａが挿入されて引っ掛けられており、該吊下げ棒１１の下フック１１ａは、上の弦巻ばね１０の上フック１０ａに引っ掛けられている。これによって、上下３つの弦巻ばね１０・・・はリング５，６間に架設されている。
上記のような構成の振動部は、平面視においてリング５，６の周方向に等間隔で３つ設けられている。また、振動部は、平面視において隣り合う連結棒７，７間に配置されている。さらに、振動部は下側のリング６に寄せて配置されている。つまり、上下３つの弦巻ばね１０・・・は、上の弦巻ばね１０がリング５，６間のほぼ中央部に配置され、下の弦巻ばね１０が下のリング６の近傍に配置されている。
【００２２】
そして、上記のような振動部では、上下３つの弦巻ばね１０・・・は上下左右に振動可能となっている。すなわち、上下方向には、各弦巻ばね１０の上下方向への弾性的な伸縮によって振動可能であり、左右方向（リング５，６の径方向または接線方向）には、各弦巻ばね１０の上下方向への弾性的な伸縮と、吊下げ棒１１の上下のフック１１ａ、下の弦巻ばね１０の下フック１０ａ、さらには、弦巻ばね１０，１０どうしの連結しているフック１０ａ，１０ａ等を支点とする揺動によって振動可能となっている。
【００２３】
前記各弦巻ばね１０内には、セラミック塊３が１個または複数収容されている。なお、図１〜図３においては、各弦巻ばね１０にセラミック塊を１個ずつ収容した状態を示しているが、各弦巻ばね１０に複数（数個程度）のセラミック塊を収容してもよい。さらに、セラミック塊３が１個収容された弦巻ばね１０と、セラミック塊が複数収容された弦巻ばね１０を混在させてもよい。
セラミック塊３は球状に形成されており、該セラミック塊３の外側を弦巻ばね３が螺旋状に巻いた構成となっている。また、弦巻ばね１０は、その中央部が外側に膨らむようにして形成されており、該中央部にセラミック塊３が収容されている。これによって、複数のセラミック塊３・・・は、フレーム２に振動可能でかつ互いに接触しないように保持されている。
また、上下に隣り合う弦巻ばね１０，１０はそれぞれのフック１０ａ，１０ａを掛け合わすことによって連結されているので、これら弦巻ばね１０・・・は互いに取り外し可能となっている。
【００２４】
上記のように構成されたセラミック活水器１は、図２および図３に示すように、水または水溶液が収容された容器４内にフレーム２が収容される。その場合、下のリング６から容器４の開口部４ａに挿入していき、該リング６を容器４の底に設置する。そして、容器４の蓋をすることによって、前記上下のリング５，６が前記容器４の上下の内壁、つまり、容器４の底面と、蓋の下面にそれぞれ当接され、これによって、フレーム２が容器４内で固定されるとともに、複数のセラミック塊３が弦巻ばね１０に保持されて上下左右に振動可能となる。なお、上のリング５は蓋に設けられた孔４ｃの周囲において、蓋の下面に当接される。
【００２５】
そして、この容器４を手にもって振るか、あるいは、身体に容器４を携帯して走行することにより該容器４を振ることによって、容器４内の水または水溶液が上下左右に移動するとともに、振動部を構成する複数の弦巻ばね１０・・・が上下左右に振動し、これに伴って、弦巻ばね１０内に収容されているセラミック塊３が上下左右に振動する。容器４内の水または水溶液は容器４を振ることによって、リング５，６間やリング５，６を通して移動するので、セラミック塊３に充分にかつ均一に接触することができ、よって、活水化を充分に行える。なお、活水化した水または水溶液は蓋に着脱可能に設けられたキャップ４ｄを外すことによって、蓋を外すことなく、飲むことができる。
また、容器４内の水または水溶液がその使用に伴って少なくなって、水面が低下しても、振動部が下側のリング６に寄せて配置されているので、水または水溶液が容器４内でセラミック塊３に充分にかつ均一に接触することができる。
【００２６】
さらに、セラミック塊３は、１個または複数弦巻ばね１０内に収容されているので、セラミック塊３と容器４との接触を容易かつ確実に防止できる。したがって、容器４を傷付けることもなく、また、容器４の内面から剥離したものがが水または水溶液に混入することもない。
加えて、弦巻ばね１０，１０どうしが上下に連結されているので、縦長の容器４に、セラミック塊３を数多く収容できるとともに、セラミック塊３の振動も効率的に行える。
また、弦巻ばね１０を構成する螺旋状の針金間を押し広げるようにして、セラミック塊３を弦巻ばね１０内に容易に挿入して収容したり、取り出すことができる。
また、容器４からセラミック活水器１を取り出す作業も、上のリング５に指等を引っ掛けて引き出せばよいので、簡単である。
さらに、複数の弦巻ばね１０・・・が、互いに取り外し可能に連結されているので、弦巻ばねの１０の個数や大きさ、言い換えれば、セラミック塊３の個数や大きさを容易に調整できる。
【００２７】
なお、本実施の形態では、弦巻ばね１０を容器４の半分より下側に配置したが、これに限ることなく、容器４の長手方向に沿って均一に配置してもよい。この場合、吊下げ棒１１を使用することなく、一番上の弦巻ばね１０の上フック１０ａを、上のリング５の孔５ａに挿入して引っ掛ければよい。
【図面の簡単な説明】
【００２８】
【図１】本発明に係るセラミック活水器の一例を示す斜視図である。
【図２】図１に示すセラミック活水器を容器に収容した状態を示す平面図である。
【図３】図１に示すセラミック活水器を容器に収容した状態を示す縦断面図である。
【符号の説明】
【００２９】
１  セラミック活水器
２  フレーム
３  セラミック塊
４  容器
５，６リング
７  連結棒
１０  弦巻ばね
【図１】
2006110477.tif 000003
【図２】
2006110477.tif 000004
【図３】
2006110477.tif 000005